(57)【要約】【課題】流水中の様々な形状や大きさのゴミ等を円滑に除去と回収を行うことができ、構造がシンプルで、維持管理のための費用も安価な水路用ゴミ取り装置を提供する。【解決手段】水路１２内の流水を横切るように配置された防塵用のスクリーン２０を有する。流水を受けるスクリーン２０の一辺が、水路の幅方向に軸着され、第一の軸受け部２８を中心に、スクリーン２０が回動自在に支持されている。上方に開口部２２ａを有する貯水タンク２２からタンク保持アーム２４が延設され、その先端部が第二の軸受け部３２を中心に、水流方向に支持されている。スクリーン２０及びタンク保持アーム２４は、それぞれ第一及び第二の軸受け部２８，３２を中心に同じ向きに連動回転させる連結リンク３４で連結されている。貯水タンク２２に注水を行う注水管４２を備える。スクリーン２０を初期位置に保持するよう付勢する重錘４０を有する。【選択図】図１
2011102508.tif 000002
【特許請求の範囲】
【請求項１】
水路に配置した防塵用のスクリーンによって流水中のゴミ等を捕捉し、流水の外に回収する水路用ゴミ取り装置において、
流水の水面の上方に位置する前記スクリーンの一辺が水路の幅方向に軸着され、前記スクリーンを水流の向きに回動自在に支持する第一の軸受け部と、
上方に開口部を有する貯水タンクと、
前記貯水タンクから延設されたタンク保持アームと、
前記タンク保持アームの下端部が軸着され、前記貯水タンクの水量により前記タンク保持アームを水流方向に回動自在に支持する第二の軸受け部と、
前記スクリーン及び前記タンク保持アームが、それぞれ前記第一及び第二の軸受け部を中心に同じ向きに連動回転するように、前記スクリーン及び前記タンク保持アームを連結する連結手段と、
前記貯水タンクに注水する注水手段と、
前記タンク保持アーム又は前記スクリーンを、前記スクリーンが流水中のゴミを捕捉する初期位置に向かって前記水流方向と逆方向に付勢する付勢手段と、
流水の水面の上方に配置され、前記スクリーンが捕捉したゴミが集積される補助スクリーンとを備え、
前記タンク保持アームには、前記貯水タンク内の水量によって、前記第二の軸受け部を中心に、前記貯水タンクの前記開口部を前記水流方向に傾けようとする回転トルクが作用し、当該回転トルクが、前記連結手段を介して前記スクリーンに伝達され、前記付勢手段による回転トルクを超えると、前記タンク保持アーム及び前記スクリーンが前記水流方向に回動し、前記スクリーンが、捕捉した前記ゴミ等を前記補助スクリーン上に排出するとともに、前記貯水タンクが、前記開口部から中の水を排出することにより、前記付勢手段による回転トルクによって、前記スクリーンが前記初期位置に復帰することを特徴とする水路用ゴミ取り装置。
【請求項２】
前記タンク保持アーム及び前記スクリーンの正方向の回動を急停止させるストッパ機構が設けられ、
前記スクリーンは、前記貯水タンク内の水量によって前記水流方向に回動し所定位置に達すると、前記ストッパ機構の動作によって急停止し、前記スクリーンに載って移動していた前記ゴミ等が補助スクリーン上に放り出される請求項１記載の水路用ゴミ取り装置。
【請求項３】
前記付勢手段は、前記スクリーンに取り付けられた重錘である請求項１又は２記載の水路用ゴミ取り装置。
【請求項４】
前記付勢手段は、固定部と、前記タンク保持アーム又は前記スクリーンとの間に取り付けられたバネ部材である請求項１又は２記載の水路用ゴミ取り装置。
【請求項５】
前記注水手段は、前記貯水タンクに注水する注水量を制御する制御手段を備え、当該注水量を制御することによって、前記スクリーンが捕捉したゴミを前記補助スクリーン上に排出する周期を決定する請求項１又は２記載の水路用ゴミ取り装置。
【請求項６】
前記注水手段が前記貯水タンクに注水する水は、当該水路を流れる流水である請求項１、２又は５のいずれか記載の水路用ゴミ取り装置。
【発明の詳細な説明】
【技術分野】
【０００１】
この発明は、用水路や小川等の水路に流れるゴミ等を除去する水路用ゴミ取り装置に関する。
【背景技術】
【０００２】
従来、この種の装置として、特許文献１に開示されているように、水路内の流水を横切るようにゴミ取り用の第一の除塵スクリーンが設置され、ゴミ等が捕捉されると、モータ等の引き上げ手段が第一の除塵スクリーンを水面の上方にほぼ水平状態になるように引き上げ、第一の除塵スクリーンの上面に付着したゴミ等を、一対の回転車に装着されて平面が移動する無端帯の表面に取り付けられたスクレーパ（レーキ）によってかき出して回収する構造の除塵装置がある。
【０００３】
また、特許文献２に開示されているように、流水が上方から下方に流れ落ちる水路の段差部に、複数のディスクが適当な間隔で固定されたシャフトを、該水路を横切るように設置した廃水スクリーン装置もある。この装置は、シャフトを回転軸にして電動機でディスクを回転させ、流水中のゴミ等をディスクの外周端で捕捉して流水の外に移送し、各ディスク間に設けられたスクレーパでかき落として回収する構造である。
【先行技術文献】
【特許文献】
【０００４】
【特許文献１】特開平８−１４４２４４号公報
【特許文献２】実開平７−９４０８号公報
【発明の概要】
【発明が解決しようとする課題】
【０００５】
用水路や小川等の水路に流れるゴミ等は、比較的薄い木の葉やビニール袋、立体的な形状の空き缶、不規則に屈曲した小枝など様々である。しかし、特許文献１の除塵装置の場合、水面の上方に引き上げられた第一の除塵スクリーンと、第一の除塵スクリーンからゴミ等をかき出す無端帯との間隔の設定は一様であるため、様々な形状のゴミ等を円滑に回収することが困難であるという問題がある。さらに、ゴミの回収除去には、モータ等の動力を必要とし、その制御部も必要であり、構造が複雑で装置自体及び維持管理にコストが掛かるものである。
【０００６】
また、特許文献２の廃水スクリーン装置の場合、水路の段差部以外の場所、すなわち、流水が横向き流れる水路の平坦部に設置することがでないので、設置可能な場所が限られて使い難いという問題がある。また、ゴミ等の大きさや形状によっては、ゴミ容器まで上手く移送できない場合がある。さらに、この廃水スクリーン装置も、ディスク及びシャフトを回動させる電動機を必要とし、この電動機に対して継続的に電力供給を行う必要もあり、構造が複雑で装置自体及び維持管理にコストが掛かるものである。
【０００７】
この発明は、上記背景技術に鑑みて成されたもので、流水中の様々な形状や大きさのゴミ等を円滑に除去し回収を行うことができ、構造がシンプルで、維持管理のための費用も安価な水路用ゴミ取り装置を提供することを目的とする。
【課題を解決するための手段】
【０００８】
この発明は、水路に配置した防塵用のスクリーンによって流水中のゴミ等を捕捉し、流水の外に回収する水路用ゴミ取り装置であって、流水の水面の上方に位置する前記スクリーンの一辺が水路の幅方向に軸着され、前記スクリーンを水流の向きに回動自在に支持する第一の軸受け部と、上方に開口部を有する貯水タンクと、前記貯水タンクから延設されたタンク保持アームと、前記タンク保持アームの下端部が軸着され、前記貯水タンクの水量により前記タンク保持アームを水流方向に回動自在に支持する第二の軸受け部と、前記スクリーン及び前記タンク保持アームが、それぞれ前記第一及び第二の軸受け部を中心に同じ向きに連動回転するように、前記スクリーン及び前記タンク保持アームを連結する連結手段と、前記貯水タンクに注水する注水手段と、前記タンク保持アーム又は前記スクリーンを、前記スクリーンが流水中のゴミを捕捉する初期位置に向かって前記水流方向と逆方向に付勢する付勢手段と、流水の水面の上方に配置され、前記スクリーンが捕捉したゴミが集積される補助スクリーンとを備え、前記タンク保持アームには、前記貯水タンク内の水量によって、前記第二の軸受け部を中心に、前記貯水タンクの前記開口部を前記水流方向に傾けようとする回転トルクが作用し、当該回転トルクが、前記連結手段を介して前記スクリーンに伝達され、前記付勢手段による回転トルクを超えると、前記タンク保持アーム及び前記スクリーンが前記水流方向に回動し、前記スクリーンが、捕捉した前記ゴミ等を前記補助スクリーン上に排出するとともに、前記貯水タンクが、前記開口部から中の水を排出することにより、前記付勢手段による回転トルクによって、前記スクリーンが前記初期位置に復帰する水路用ゴミ取り装置である。
【０００９】
また、前記タンク保持アーム及び前記スクリーンの正方向の回動を急停止させるストッパ機構が設けられ、前記スクリーンは、前記貯水タンク内の水量によって前記水流方向に回動し所定位置に達すると、前記ストッパ機構の動作によって急停止し、前記スクリーンに載って移動していた前記ゴミ等が補助スクリーン上に放り出されるものである。
【００１０】
前記付勢手段は、前記スクリーンに取り付けられた重錘、または水路の地表面等の固定部と前記タンク保持アーム又は前記スクリーンとの間に取り付けられたバネ部材である。前記スクリーンは、水路の段差部の上方から下方に流れ落ちる流水を横切るように配置されるもの、または水路の底部を横向き流れる流水を横切るように配置されるものである。
【００１１】
前記注水手段は、前記貯水タンクに注水する注水量を制御する制御手段を備え、当該注水量を制御することによって、前記スクリーンが捕捉したゴミを前記補助スクリーン上に排出する周期を決定するものである。前記注水手段が前記貯水タンクに注水する水は、当該水路を流れる流水を用いても良い。
【発明の効果】
【００１２】
この発明の水路用ゴミ取り装置は、水路における設置場所を選ばず、動力源も必要とせず、確実な動作を行わせることができるものである。また、除塵用のスクリーンに捕捉した様々な形状や大きさのゴミ等を、円滑且つ確実に取り除くことができる。
【００１３】
さらに、スクリーンに捕捉したゴミ等を補助スクリーン上に排出する動作は、注水手段から貯水タンクへの注水により行われ、注水手段に注水量を制御する制御手段を設けることによって、当該排出動作を行う周期を容易に調節することができる。
【００１４】
また、水路を流れる流水を利用して注水を行えば、注水のための特段の装置を設けることなく、スクリーンをほぼ一定周期で動作させることができ、装置の設置費用やランニング費用を安価に抑えることができる。
【図面の簡単な説明】
【００１５】
【図１】この発明の第一の実施形態の水路用ゴミ取り装置が水路に設置された状態を示す側面図である。
【図２】第一の実施形態の水路用ゴミ取り装置が水路に設置された様子を示す平面図である。
【図３】第一の実施形態のスクリーンが、ゴミ等を捕捉する様子を示す側面図である。
【図４】第一の実施形態のスクリーンに捕捉したゴミ等が、補助スクリーンに排出される様子を示す側面図である。
【図５】この発明の第二の実施形態の水路用ゴミ取り装置が水路に設置された状態を示す側面図である。
【図６】第二の実施形態の水路用ゴミ取り装置が水路に設置された様子を示す平面図である。
【図７】第二の実施形態の連結手段を示す側面図である。
【図８】第二の実施形態のスクリーンが、ゴミ等を捕捉する様子を示す側面図である。
【図９】第二の実施形態のスクリーンに捕捉したゴミ等が、補助スクリーンに排出される様子を示す側面図である。
【図１０】第二の実施形態の連結手段の変形例を示す側面図である。
【発明を実施するための形態】
【００１６】
以下、この発明の第一の実施形態の水路用ゴミ取り装置１０について、図１〜図４に基づいて説明する。水路用ゴミ取り装置１０は、図１に示すように、水路１２内の段差の下段部分１２ａに設置され、上段部分１２ｂから下段部分１２ａに流れ落ちる流水のゴミ等を回収するものである。
【００１７】
水路用ゴミ取り装置１０は、下段部分１２ａのコンクリート製の側壁１２ｃに左右一対に取り付けられた第一、第二、第三の縦フレーム１４，１６，１８を備えている。３つの縦フレーム１４，１６，１８は、水路１２の下流側から上流側にかけて、所定の間隔を空けて上記の順番に配置され、後述するスクリーン２０、貯水タンク２２、タンク保持アーム２４、補助スクリーン２６等の部材を支持するため、側壁１２ｃに強固に固定されている。
【００１８】
ゴミ取りを行う除塵用のスクリーン２０は、図２に示すように、細長の金属板や金属柱を所定の間隔で格子状に組み合わせて成る矩形の板状の外形を有している。スクリーン２０は、上段部分１２ｂから下段部分１２ａに流れ落ちる流水を横切るように、水平から若干傾いた角度に配置されている。水路１２の幅方向に配置された二辺のうち下流側の一辺の両端は、第二の縦フレーム１６の中央やや下方部分に左右一対に設けられた第一の軸受け部２８に軸着され、水流の向きに回動自在に支持されている。一方、上流側の一辺の両端は、第一の縦フレームの下端部同士を連結する横フレーム３０の上面に係止されている。
【００１９】
貯水タンク２２は、開口部２２ａが上向きに設けられ、開口部２２ａの上流側部分が仕切り板２２ｂで広く塞がれている。貯水タンク２２の左右側面の下側部に、下向きに延びるタンク保持アーム２４が一対に取り付けられ、タンク保持アーム２４の下端部は、第二の縦フレーム１６の第一の軸受け部２８のやや下方部分に左右一対に設けられた第二の軸受け部３２に軸着され、水流の向きに回動自在に支持されている。
【００２０】
一対のタンク保持アーム２４と、スクリーン２０は、連結手段である連結リンク３４によって各々連結されている。この連結リンク３４は、一端が、タンク保持アーム２４の略中央部の側面にピン３６を介して回転自在に軸着され、反対側の一端は、スクリーン２０の側面の略中央部に、同様のピン３６を介して回転自在に軸着されている。従って、スクリーン２０と一対のタンク保持アーム２４は、水流の向きに回動するとき、それぞれ第一及び第二の軸受け部２８，３２を中心に同じ向きに連動して回転することができる。
【００２１】
左右の第二の縦フレーム１６と第三のフレーム１８は、互いに隣り合う先端部分同士が４本の横フレーム３８で四角く連結され、その４本の横フレーム３８の上に、矩形の補助スクリーン２６の四辺が載置され、ほぼ水平な状態に固定されている。補助スクリーン２６は、スクリーン２０で捕捉されたゴミ等が上面に集積される板状の部材で、スクリーン２０と同様に、水切り可能な透水構造を有している。
【００２２】
スクリーン２０の下面側には、重錘４０が取り付けられている。この重錘４０は、スクリーン２０が図１に示す位置から上方に移動しないように、スクリーン２０を下向きに付勢する付勢手段として働く。
【００２３】
水路１２の上段部分１２ｂから注水タンク２２の上方に向けて、注水タンク２２に水を注水する注水管４２が敷設されている。注水管４２の図示しない始端側には、水路１２内の流水を分流させた水が供給され、終端側の排出口４２ａから排出する。貯水タンク２２に注水される流量が、制御手段である水量調節バルブ４２ｂによって決定される。
【００２４】
次に、水路用ゴミ取り装置１０の動作について、図３、図４に基づいて説明する。ここで、図３に示す状態における各部材の位置を初期位置（流水中のゴミ等を捕捉するときの位置）と称する。水路１２においてゴミＧを含む流水は、図３に示すように、上段部分１２ｂから初期位置のスクリーン２０上に流れ落ち、ゴミＧはスクリーン２０上面に捕捉され、水はスクリーン２０を通過して下段部分１２ａに達する。また、水路１２の水流とともに、注水管４２から貯水タンク２２に注水が行われ、注水タンク２２内に水が溜まっていく。
【００２５】
タンク保持アーム２４には、貯水タンク２２内に溜まった水の重さによって、貯水タンク２２の開口部２２ａを下流側に傾けようとする、図面上の時計回り（以下、正方向と言う。）の回転トルクが作用し、さらに、連結リンク３４を通じて、スクリーン２０に正方向の回転トルクが作用する。しかし、図３の状態では、貯水タンク２２内の水量が少なく、スクリーン２０に作用する正方向の回転トルクが、スクリーン２０に取り付けられた重錘４０による図面上の反時計回り（以下、負方向と言う。）の回転トルクよりも小さいので、スクリーン２０は初期位置に保持される。
【００２６】
貯水タンク２２への注水が進み、スクリーン２０に作用する正方向の回転トルクが負方向の回転トルクを超えると、スクリーン２０及びそれに連動するタンク保持アーム２４と貯水タンク２２が正方向に回動する。このとき、貯水タンク２２が徐々に傾くが、開口部２２ａの広い領域を塞ぐ仕切り板２２ｂがあるので内部に溜まった水は少量づつしか排出されず、回動の勢いは衰えない。そして、図４に示すように、貯水タンク２２の下流側の側面が、一対の第三の縦フレーム１８の先端部同士を連結する横フレーム３８に当接した位置で停止する。すなわち、横フレーム３８は、補助スクリーン２６を支持すると同時に、スクリーン２０の回動を停止させるストッパ機構としての役割も果たす。
【００２７】
貯水タンク２２及びタンク保持アーム２４は、横フレーム３２に当接するとき、軽く衝突し、スクリーン２０も同時に、垂直からやや下流側に傾いた位置で急停止する。従って、スクリーン２０に載って移動していたゴミＧは、補助スクリーン２６上に放り出されるように落下し、スクリーン２０にはほとんど残留しない。ここで、図４に示す状態における各部材の位置を停止位置（捕捉したゴミＧを補助スクリーン２６に排出するときの位置）と称する。
【００２８】
その後、貯水タンク２２が停止位置に保持され、中の水が排出されると、重錘４０の付勢の方が優位になり、スクリーン２０、貯水タンク２２及びタンク保持アーム２４は、停止位置から負方向に回動して初期位置に戻る。水路用ゴミ取り装置１０は、上記の動作を繰り返すことによって、流水に含まれるゴミＧを回収する。
【００２９】
この回収動作が行われる時間間隔は、注水管４２から貯水タンク２２への注水量で決定される。上述した通り、注水管４２の水量調節バルブ４２ｂは、貯水タンク２２へ注がれる水の流量を規定しているので、水路１２内の流量が一定以上に増えても、ゴミＧの回収動作を行う時間間隔が極端に短くなることはない。一方、水路１２の流量が一定以下になると、貯水タンク２２への流量も低下してゴミＧの回収動作を行う時間間隔が長くなり、さらに、流水がなくなると回収動作も停止し、水路用ゴミ取り装置１０が無駄に動作して騒音を出したり、各部材が消耗したりするのを防ぐことができる。
【００３０】
この実施形態の水路用ゴミ取り装置１０は、動力源を必要とせず、確実な動作を行わせることができるものである。また、スクリーン２０に捕捉したゴミＧは、補助スクリーン２６上に放り出されるように排出され、従来のスクレーパ等でかき出す方法と異なり、様々な形状や大きさのゴミＧを円滑に取り除くことができる。さらに、スクリーン２０のゴミＧを補助スクリーン２６上に排出する動作は、注水管４２から貯水タンク２２への注水により行われ、排出動作の周期も必要最小限に自動制御することができ、従来のようにモータ等の駆動装置に供給すべき電力等を無くし、維持コストを大幅に削減することができる。
【００３１】
また、スクリーン２０の回動軸である第一の軸受け２８と、タンク保持アーム２４の回動軸である第二の軸受け部３２とが別個に設けられているので、スクリーン２０とタンク保持アーム２４とが連動回転する動作を実現しつつ、スクリーン２０が初期位置から停止位置まで回動する回転角と、タンク保持アーム２４が初期位置から停止位置まで回動する回転角を異なる値に設定することができる。これにより、スクリーン２０とタンク保持アーム２４の動作範囲を、設置場所の状態により適宜設定できるという利点がある。
【００３２】
さらに具体的には、スクリーン２０の場合、初期位置は、ゴミＧを捕捉する面が流水を横切る角度に設定し、停止位置は、補助スクリーン２６にゴミＧを放出しやすいように、ゴミ捕捉面が垂直からやや下流側に傾く角度に設定することが好ましい。一方、タンク保持アーム２４の場合、初期位置は、貯水タンク２２を注水管４２からの注水を受けやすい位置に支持するように決定し、停止位置は、貯水タンク２２を内部に溜まった水が十分に排出可能な位置に支持するように決定しなければならない。その点、水路用ゴミ取り装置１０は、スクリーン２０の回転角とタンク保持アーム２４の回転角を個別に設定することができるので、水路１２個々の段差の具合に合わせて、最適な回転角に調節することができる。
【００３３】
次に、この発明の第二の実施形態の水路用ゴミ取り装置５０について、図５〜図９に基づいて説明する。ここで、上記の水路用ゴミ取り装置１０と同様の構成は、同一の符号を付して説明する。水路用ゴミ取り装置５０は、図５に示すように、水路１２の底部１２ｄが平坦な場所で横向きに流れる流水のゴミ等を回収するものである。ここで、図５の左側が上流側で、右側が下流側である。
【００３４】
水路用ゴミ取り装置５０は、水路１２の左右の側岸５２に基板５４が一対に配置され、スクリーン２０、貯水タンク２２、タンク保持アーム２４、補助スクリーン２６等の部材を支持するため、コンクリートで舗装された側岸５２上面に強固に固定されている。
【００３５】
除塵用のスクリーン２０は、図５に示すように、水路１２を上流側から下流側に流れる流水を斜めに横切るように、下流側に約４５度傾けて配置されている。水路１２の幅方向に配置された二辺のうち下流側の一辺は、スクリーン２０の回転軸２０ａとして働き、その両端部が、基板５４のやや下流側の位置に左右一対に設けられた第一の軸受け部２８に軸着され、水流の向きに回動自在に支持されている。一方、上流側の一辺は、水路１２の底部１２ｄに当接している。
【００３６】
貯水タンク２２は、左右側面の下側部に、下向きに延びるタンク保持アーム２４が一対に取り付けられ、タンク保持アーム２４の下端部は、基板５４上のほぼ中央部分に一対に設けられた第二の軸受け部３２に軸着され、水流の向きに回動自在に支持されている。
【００３７】
一対のタンク保持アーム２４と、スクリーン２０は、連結手段である第一の連結リンク５６及び第二の連結リンク５８によって連結されている。第一の連結リンク５６は、図７に示すように、一端がスクリーン２０の回転軸２０ａに溶接等により固定されている。第二の連結リンク５８は、一端が、第一の連結リンク５６の他の一端にピン６０を介して回転自在に軸着され、反対側の一端が、タンク保持アーム２４の僅かに屈曲した部分の側面に同様のピン６０を介して回転自在に軸着されている。従って、スクリーン２０と一対のタンク保持アーム２４は、水流の向きに回動するとき、それぞれ第一及び第二の軸受け部２８，３２を中心に同じ向きに連動して回転することができる。
【００３８】
一対の基板５４は、端部同士が図示しない横フレームで連結され、その上面に、ゴミ等が集積される矩形の補助スクリーン２６がほぼ水平に固定されている。また、側岸５２の基板５４からみて下流側の所定の固定部である箇所と、タンク保持アーム２４のやや上端側部分との間に、バネ部材６４が接続されている。このバネ部材６４は、タンク保持アーム２４が、図５に示す位置から上流側に移動しないように、タンク保持アーム２４を下流側に向けて付勢する付勢手段として働く。
【００３９】
また、上記実施形態の水路用ゴミ取り装置１０と同様に、注水タンク２２に注水をするための注水管４２が敷設されて、注水量の制御手段である水量調節バルブ４２ｂが設けられている。
【００４０】
次に、水路用ゴミ取り装置５０の動作について、図８、図９に基づいて説明する。ここで、図５に示す状態における各部材の位置を初期位置（流水中のゴミ等を捕捉するときの位置）と称する。水路１２にゴミＧを含む流水が生じると、図８に示すように、流水は初期位置のスクリーン２０を横切り、ゴミＧはスクリーン２０上面に捕捉され、水はスクリーン２０を通過する。また、流水が生じると同時に、注水管４２から貯水タンク２２に注水が行われ、注水タンク２２内に水が溜まっていく。
【００４１】
タンク保持アーム２４には、貯水タンク２２内に溜まった水の重さによって、貯水タンク２２の開口部２２ａを下流側に傾けようとする正方向の回転トルクが作用する。しかし、図８の状態では、貯水タンク２２内の水量が少なく、タンク保持アーム２４に作用する正方向の回転トルクが、バネ部材６４による負方向の回転トルクよりも小さいので、タンク保持アーム２４は回動せず、連結されたスクリーン２０も初期位置に保持される。
【００４２】
貯水タンク２２への注水が進み、タンク保持アーム２４に作用する正方向の回転トルクが負方向の回転トルクを超えると、タンク保持アーム２４と貯水タンク２２及びそれに連動するスクリーン２０が正方向に回動する。このとき、貯水タンク２２が徐々に傾くが、開口部２２ａの広い領域を塞ぐ仕切り板２２ｂがあるので内部に溜まった水は少量づつしか排出されず、回動の勢いは衰えない。そして、図９に示すように、２つの連結リンク５６，５８がほぼ直線的に伸びた所で停止する。すなわち、タンク保持アーム２４、基板５４及び２つの連結リンク５６，５８で構成される三角形のリンク構造が、スクリーン２０の回動を停止させるストッパ機構としての役割を果たす。
【００４３】
スクリーン２０は、上記のリンク構造で成るストッパ機構の働きによって、垂直からやや下流側に傾いた位置で急停止する。従って、スクリーン２０に載って移動していたゴミＧは、補助スクリーン２６上に放り出されるように落下し、スクリーン２０にはほとんど残留しない。ここで、図９に示す状態における各部材の位置を停止位置（捕捉したゴミＧを補助スクリーン２６に排出するときの位置）と称する。
【００４４】
その後、貯水タンク２２が停止位置に保持され、中の水が排出されると、バネ部材６４の付勢の方が優位になり、スクリーン２０、貯水タンク２２及びタンク保持アーム２４は、停止位置から負方向に回動して初期位置に戻る。水路用ゴミ取り装置５０は、上記の動作を繰り返すことによって、流水に含まれるゴミＧを回収する。
【００４５】
この実施形態の水路用ゴミ取り装置５０も、上記実施形態と同様の効果を有するものである。さらに、水路用ゴミ取り装置５０の場合、上記実施形態の水路用ゴミ取り装置１０と比較すると、スクリーン２０が初期位置から停止位置まで回動する回転角は約１２０〜１６０度と大きく設定可能である。これにより、落差のない平坦な水路でより良好にゴミ等の回収を可能にする。さらに、第一及び第二の軸受け部２８，３２を異なる位置に設け、２つの連結リンク５６，５８で成る連結手段を用いることによって、スクリーン２０の回転角とタンク保持アーム２４の回転角を、各々最適な回転角に調節することができる。
【００４６】
また、２つの連結リンク５６，５８で成る連結手段を、図１０に示すように、連結チェーン６６を用いた構成に変更してもよい。連結チェーン６６は、第一の軸受け部２８に軸着された回転軸２０ａ部分に一体に取り付けられた小径スプロケット６８と、第二の軸受け部３２に軸着されたタンク保持アーム２４部分に一体に取り付けられた大径スプロケット７０に装着されており、スクリーン２０とタンク保持アーム２４を、各軸受け部２８，３２を中心に同じ向きに連動して回動させることができる。そして、２つのスプロケット６８，７０の直径の比率を変更することにより、スクリーン２０の回転角とタンク保持アーム２４の回転角を、各々、最適な回転角に調節することができる。
なお、この発明の水路用ゴミ取り装置は、上記実施形態に限定されるものではない。例えば、除塵用のスクリーン、補助スクリーンの形状や大きさは、回収対象のゴミ等の形態や、設置場所である水路の内壁の形状に合わせ、自由に変更することができる。
【００４７】
また、貯水タンクへの注水方法については、水路を流れてきた流水以外の水を使用する注水システムを構成してもよい。例えば、水道水を用いて適宜注水量を調節したり、ポンプその他の制御手段を用いて、例えばゴミの量により注水速度を加速又は減速しても良く、これによりゴミ等の排出動作の頻度を、状況に応じて自在に調節管理することが可能になる。
【符号の説明】
【００４８】
１０，５０  水路用ゴミ取り装置
１２  水路
１４  第一の縦フレーム
１６  第二の縦フレーム
１８  第三の縦フレーム
２０  スクリーン
２２  貯水タンク
２２ａ  開口部
２２ｂ  仕切板
２４  タンク保持アーム
２６  補助スクリーン
２８  第一の軸受け部
３０  横フレーム
３２  第二の軸受け部
３４  連結リンク
３６，６０  ピン
３８  横フレーム
４０  重錘
４２  注水管
４２ｂ  水量調節バルブ
５４  基板
５６  第一の連結リンク
５８  第二の連結リンク
６４  バネ部材
６６  連結チェーン
６８  小径スプロケット
７０  大径スプロケット
【図１】
2011102508.tif 000003
【図２】
2011102508.tif 000004
【図３】
2011102508.tif 000005
【図４】
2011102508.tif 000006
【図５】
2011102508.tif 000007
【図６】
2011102508.tif 000008
【図７】
2011102508.tif 000009
【図８】
2011102508.tif 000010
【図９】
2011102508.tif 000011
【図１０】
2011102508.tif 000012